(57)【特許請求の範囲】
【請求項１】
動作状態で入賞確率が通常状態時より極端に高くなる特賞役物と、特定入賞孔へパチンコ玉が入賞したとき、またはパチンコ玉が特定領域を通過したときに所定の動作確率で動作するように設けられ、その動作状態で入賞確率が通常状態時より比較的高くなる補助役物とを備えたパチンコ遊技機において、
遊技客側の操作に応じて前記特賞役物が非動作状態にある期間における前記補助役物の動作確率を設定可能な操作手段と、
前記補助役物の動作確率が前記操作手段により設定された動作確率と一致するように制御する制御手段とを備え、
前記制御手段は、前記操作手段により前記補助役物の動作確率が現在の確率よりも高い確率に設定変更されたときは、前記特賞役物の動作確率を現在の確率よりも低い確率に変更すると共に、前記操作手段により前記補助役物の動作確率が現在の確率よりも低い確率に設定変更されたときは、前記特賞役物の動作確率を現在の確率よりも高い確率に変更することを特徴とするパチンコ遊技機。
【発明の詳細な説明】
【０００１】
【発明の属する技術分野】
本発明は、動作状態で入賞確率が通常状態時より極端に高くなる特賞役物の他に、動作状態で入賞確率が通常状態時より比較的高くなる補助役物を備えたパチンコ遊技機に関する。
【０００２】
【従来の技術】
パチンコ遊技機においては、動作されたときに入賞確率を通常状態時より極端に高めた状態を呈する特賞役物を備えた構成のものが一般的になっている。これらの中でも、特賞役物と図柄表示装置とを組み合わせた所謂フィーバータイプのパチンコゲーム機（１種パチンコ機）にあっては、図柄表示装置の駆動回数に対する特賞役物の動作確率が固定されており、また、特賞役物の動作期間中に賞球として放出されるパチンコ玉数もある程度の範囲に固定されている。さらに、特賞役物が非動作状態にある期間における出玉率（所謂ベース）も、パチンコ遊技機の釘調整状態に応じて決定される構成、つまり実質的に固定された状態となっている。
【０００３】
【発明が解決しようとする課題】
上記のようなパチンコ遊技機で遊技する場合、遊技客は、当該パチンコ遊技機の固定的な特性（特賞役物の動作確率、特賞役物の動作期間中に賞球として放出されるパチンコ玉数、特賞役物が非動作状態にある期間における出玉率）を甘受しなければならず、このような状況が、遊技に対する興趣向上の障害になっているという事情があった。
【０００４】
本発明は上記事情に鑑みてなされたものであり、その目的は、少なくとも、特賞役物が非動作状態にある期間における出玉率を遊技客側の意思で調節可能な構成とすることによって、遊技に対する興趣向上を図り得るようになるパチンコ遊技機を提供することにある。
【０００５】
【課題を解決するための手段】
請求項１記載の発明は、動作状態で入賞確率が通常状態時より極端に高くなる特賞役物と、特定入賞孔へパチンコ玉が入賞したとき、またはパチンコ玉が特定領域を通過したときに所定の動作確率で動作するように設けられ、その動作状態で入賞確率が通常状態時より比較的高くなる補助役物とを備えたパチンコ遊技機において、
遊技客側の操作に応じて前記特賞役物が非動作状態にある期間における前記補助役物の動作確率を設定可能な操作手段と、前記補助役物の動作確率が前記操作手段により設定された動作確率と一致するように制御する制御手段とを備えた上で、
前記制御手段を、前記操作手段により前記補助役物の動作確率が現在の確率よりも高い確率に設定変更されたときは、前記特賞役物の動作確率を現在の確率よりも低い確率に変更すると共に、前記操作手段により前記補助役物の動作確率が現在の確率よりも低い確率に設定変更されたときは、前記特賞役物の動作確率を現在の確率よりも高い確率に変更する構成としたことに特徴を有する。
【０００６】
このような構成によれば、遊技客による操作手段の操作に応じて、特賞役物が非動作状態にある期間における補助役物の当たり確率が設定されると、制御手段は、補助役物の動作確率が上記設定当たり確率と一致した状態となるように制御する。この場合、補助役物は、動作状態で入賞確率が通常状態時より比較的高くなる構成とされたものであるから、結果的に、その当たり確率を上下させることにより、特賞役物が非動作状態にある期間における出玉率を遊技客側において調節できるようになって、遊技に対する興趣向上を図り得るようになる。
【０００７】
また、前記制御手段は、前記操作手段により前記補助役物の動作確率が現在の確率よりも高い確率に設定変更されたときは、前記特賞役物の動作確率を現在の確率よりも低い確率に変更すると共に、前記操作手段により前記補助役物の動作確率が現在の確率よりも低い確率に設定変更されたときは、前記特賞役物の動作確率を現在の確率よりも高い確率に変更する構成となっているから、遊技客によって、特賞役物が非動作状態にある期間における出玉率が高められた状態に設定された場合には、特賞役物の動作確率が低減され、この逆に、特賞役物が非動作状態にある期間における出玉率が下げられた状態に設定された場合には、特賞役物の動作確率が上昇されることになるから、パチンコホール側の収益バランスを損なうことなく、遊技に対する興趣向上を図り得るようになる。
【００１３】
【発明の実施の形態】
以下、本発明の第１実施例について図１〜図５を参照しながら説明する。
図４にはパチンコ遊技機１の概略的な正面外観が示されている。この図４において、パチンコ遊技機１は、上皿２内のパチンコ玉を電動式発射機構３を通じて盤面４へ発射する構成となっている。
【００１４】
上記盤面４には、比較的大型の７セグメントＬＥＤによって３桁の数字を表示可能に構成された特賞用ルーレット５、比較的小型の７セグメントＬＥＤによって２桁の数字を表示可能に構成された補助ルーレット６、動作状態で入賞確率が通常状態より極端に高くなる特賞用電動シャッタ７ａ（本発明でいう特賞役物に相当）を備えた特賞用入賞孔７、電動チューリップ８ａ（本発明でいう補助役物に相当）を備えた通常入賞孔８、例えば２個の補助スタート入賞孔９（本発明でいう特定入賞孔に相当）、例えば２個のスタート入賞孔１０、アウト孔１１などが設けられている。
【００１５】
この場合、補助ルーレット６は、補助スタート入賞孔９にパチンコ玉が入賞するのに応じて動作開始されると共に、この後に所定時間が経過したときに動作停止されるものであり、その動作開始に伴い所定の確率（後述の説明から明らかとなるように、１／８、１／６、１／４、１／２の何れか）に設定されたミニ当たり条件が成立したときには、上記のような動作停止時において各桁の数字が「１１」、「２２」、「３３」、…のように揃ったミニ当たり状態を呈する構成となっており、このようなミニ当たり状態では、電動チューリップ８ａが所定時間（例えば３秒間）だけ開放動作されて、通常入賞孔８へのパチンコ玉の入賞確率が高められる。
【００１６】
また、特賞用ルーレット５は、スタート入賞孔１０にパチンコ玉が入賞するのに応じて動作開始されると共に、この後に所定時間が経過したときに動作停止されるものであり、その動作開始に伴い所定の確率（後述の説明から明らかとなるように、１／２００、１／２７０、１／４００、１／８００の何れか）に設定された特賞条件が成立したときには、上記のような動作停止時において各桁の数字が「１１１」、「２２２」、「３３３」、…のように揃った特賞状態を呈する構成となっており、このような特賞状態では、電動シャッタ７ａが例えば所定期間ずつ複数回だけ動作されて特賞入賞孔７を開放するものであり、これに伴いパチンコ遊技機１での出玉率が極端に高くなる。
【００１７】
尚、特賞用ルーレット５を動作させるためのスタート入賞孔１０には、パチンコ玉の入賞を検知するスタートセンサ（図示せず）が設けられ、補助ルーレット６を動作させるための補助スタート入賞孔９には、パチンコ玉の入賞を検知する補助スタートセンサ（図示せず）が設けられている。
【００１８】
また、パチンコ遊技機１の前面側下方部には、本発明でいう設定手段に相当した設定部１２が設けられている。この設定部１２は、前記補助ルーレット６がミニ当たり状態となる確率（電動チューリップ８ａの動作確率）を設定するためのもので、図５に示すように、「使用金額」の文字に対応させて例えば４個の押釦スイッチ１２ａ〜１２ｄを配置した構成となっており、その選択的な操作に応じて補助ルーレット６のミニ当たり確率を４段階に変更設定できるようになっている。
【００１９】
この場合、各押釦スイッチ１２ａ〜１２ｄには、「３０００」、「５０００」、「７０００」、「１００００」の数字がそれぞれ記されている。上記各数字は、パチンコ遊技機１での遊技を、特賞状態が発生しないまま所定時間継続した場合において、その遊技に消費されると想定されるパチンコ玉数の価額（単位は円）の限度を示す目安となるものである。但し、各限度価額は、パチンコ遊技機１の出玉率に依存するものであり、従って、実際の限度価額はパチンコ遊技機１の釘調整状態に応じて異なってくる。
【００２０】
そして、設定部１２においては、押釦スイッチ１２ａ〜１２ｄのオン状態（前記限度価額の選択状態）によって、補助ルーレット６のミニ当たり確率を設定する構成となっており、その設定可能なミニ当たり確率は以下に示す表１のようになっている。
【００２１】
【表１】
0003970952.tif 000002
図１には、上記パチンコ遊技機１の電気的構成が機能ブロックの組み合わせにより示されている。この図４において、ＣＰＵ１３（本発明でいう制御手段に相当）は、ＲＯＭ１４に予め記憶されたプログラム、設定部１２により設定された補助ルーレット６のミニ当たり確率並びにＲＡＭ１５との間のデータ転送に基づいてパチンコ遊技機１の動作を制御する構成となっている。電源回路１６は直流安定化電源として構成されたもので、ＣＰＵ１３を含む制御回路部分に電源を供給するために設けられている。リセット回路１７は、パワーオンリセット機能及びウォッチドグタイマ機能を備えて成り、ＣＰＵ１３の電源電圧が動作電圧レベル以下の状態時並びにプログラム暴走時に当該ＣＰＵ１３をリセットするために設けられている。
【００２２】
入力回路１８は、パチンコ遊技機１に設けられた各種センサ群からの信号をＣＰＵ１３に与えるために設けられている。この場合、具体的には図示しないが、上記センサ群の中には、前記スタート入賞孔１０に設けられたスタートセンサ及び前記補助スタート入賞孔９に設けられた補助スタートセンサが含まれており、特に、上記入力回路１８には、前記スタート入賞孔１０に設けられたスタートセンサからの検知信号を受けるスタートレジスタが設けられている。
【００２３】
上記スタートレジスタは、特賞用ルーレット５のスタート権利回数（スタート入賞孔１０への入賞回数）を一時記憶するためのもので、スタート入賞孔１０へパチンコ玉が入賞する毎に「１」が加算され、特賞用ルーレット５が動作する毎に「１」が減算される構成となっている。但し、このスタートレジスタは、記憶最大値が例えば「４」に設定されており、これにより、上記スタート権利回数が最大で４回となるように規制されている。
【００２４】
出力回路１９は、前記電動シャッタ７ａ及び電動チューリップ８ａ駆動用の各電磁ソレノイド（何れも図示せず）やパチンコ遊技機１に設けられた特賞報知ランプやミニ当たり報知ランプを含む図示しない各種ランプを、ＣＰＵ１３の出力に基づいて駆動するために設けられている。
【００２５】
表示制御回路２０は、前記特賞用ルーレット５及び補助ルーレット６の表示制御を、ＣＰＵ１３の出力に基づいて行うために設けられている。さらに、音声出力回路２１は、パチンコ遊技機１に設けられた効果音発生用のスピーカ（図示せず）を、ＣＰＵ１３の出力に基づいて制御するために設けられている。
【００２６】
さて、図２には、ＣＰＵ１３による制御内容のうち、特賞用ルーレット５及び電動シャッタ７の制御に関係した部分が示されており、以下これについて関連作用と共に説明する。
即ち、図２において、ＣＰＵ１３は、電源投入後において設定部１２を通じて設定される限度価額、つまり補助ルーレット６のミニ当たり確率を、初期値である１／２（限度価額は「３０００」：表１参照）にセットする（ステップＡ１）。この後には、入力回路１８内のスタートレジスタの記憶値（特賞用ルーレット５のスタート権利回数）を読み込み（ステップＡ２）、その読み込み値が「１」以上あるか否かに基づいてスタート権利回数の保留の有無を判断する（ステップＡ３）。
【００２７】
スタート権利回数の保留がない場合には、設定部１２による補助ルーレット６のミニ当たり確率（限度価額）の設定変更があったか否かを判断し（ステップＡ４）、設定変更がない場合にはそのままステップＡ２へ戻るが、設定変更があった場合には、設定変更後のミニ当たり確率をセットするステップＡ５を実行した後にステップＡ２へ戻る。
【００２８】
スタート権利回数の保留があった場合（ステップＡ３で「ＹＥＳ」）には、予め設定された特賞乱数の中から１つの数字を読み込むことによって大当たり（特賞状態）になったか否かを判断する（ステップＡ６）。この場合、上記読み込み特賞乱数が別途設定された大当たり数値に該当した場合に大当たり状態を呈する構成となっており、従って、上記大当たり数値の種類を増減することによって大当たりが発生する確率を変更することができる。ここで、大当たり確率、つまり特賞状態が発生する確率は、前記ステップＡ１またはＡ５でセットされた補助ルーレット６のミニ当たり確率に応じて変更される構成となっている。具体的には、大当たり確率は、下記の表２に示すように、補助ルーレット６に設定されたミニ当たり確率が高い場合ほど低くなるように変更されるものである。
【００２９】
【表２】
0003970952.tif 000003
大当たり状態とならなかった場合（ステップＡ６で「ＮＯ」）には、外れ表示処理ルーチンＡ７を実行する。この外れ表示処理ルーチンＡ７では、予め設定された外れ図柄乱数（３桁）の中から１つの数字をランダムに読み込むと共に、特賞用ルーレット５に対して上記読み込み外れ図柄乱数の各桁を順次表示するものであり、上記特賞用ルーレット５に対する表示完了後に前記ステップＡ１以降の制御を再実行する。
【００３０】
一方、大当たり状態が発生した場合（ステップＡ６で「ＹＥＳ」）には、大当たり表示処理ルーチンＡ８を実行する。この大当たり表示処理ルーチンＡ８では、予め設定された特賞図柄乱数（１桁）の中から１つの数字をランダムに読み込むと共に、特賞用ルーレット５の各桁に対し、上記読み込み特賞図柄乱数を表示するものであり、これにより、特賞用ルーレット５においては、その動作停止時において、各桁の数字が「０」〜「９］の何れかで揃った特賞状態を呈するようになる。
【００３１】
上記大当たり表示処理ルーチンＡ８の実行後には、特賞処理ルーチンＡ９を実行した後にステップＡ２へ戻る。この特賞処理ルーチンＡ９では、出力回路１９を通じて、図示しない特賞報知ランプを点滅させると共に、図示しない電磁ソレノイドを所定のモードで駆動することにより電動シャッタ７ａを所定期間ずつ複数回だけ開放させる動作を行い、さらに、音声出力回路２１を通じて図示しないスピーカから特賞用の効果音を発生させる。従って、特賞状態が発生したときには、上記のような電動シャッタ７ａの開放動作に応じてパチンコ遊技機１での出玉率が極端に高くなるものである。
【００３２】
図３には、ＣＰＵ１３による制御内容のうち、補助ルーレット６及び電動チューリップ８ａの制御に関係した部分が示されており、以下これについて関連作用と共に説明する。
即ち、図３において、ＣＰＵ１３は、補助スタート入賞孔９に設けられた補助スタートセンサからの検知信号の有無に基づいて、補助スタート入賞孔９にパチンコ玉が入賞したか否かを判断するものであり（ステップＢ１）、入賞がない場合には、当該ステップＢ１を反復して実行する。
【００３３】
補助スタート入賞孔９にパチンコ玉が入賞したときには、ミニ当たり確率設定処理ルーチンＢ２を実行する。このミニ当たり確率設定処理ルーチンＢ２では、非特賞状態にある期間（電動シャッタ７ａが動作していない期間）における補助ルーレット６の実際のミニ当たり確率（電動チューリップ８ａの動作確率）を、操作部１２により設定されたミニ当たり確率と一致するように制御するものである。具体的には、後述するミニ当たり乱数に対するミニ当たり数値の種類を、非特賞状態にある期間のみ、操作部１２により設定されたミニ当たり確率に応じて増減する制御を行う。
【００３４】
上記ミニ当たり確率設定処理ルーチンＢ２の実行後には、予め設定されたミニ当たり乱数の中から１つの数字を読み込むことによってミニ当たりになったか否かを判断する（ステップＢ３）。この場合、上記ミニ当たり乱数が、前記処理ルーチンＢ２で設定されたミニ当たり数値に該当した場合にミニ当たり状態を呈する構成となっており、従って、ミニ当たり状態が発生する確率は、操作部１２により設定されたミニ当たり確率に応じたものとなる。
【００３５】
ミニ当たり状態とならなかった場合（ステップＢ３で「ＮＯ」）には、外れ表示処理ルーチンＢ４を実行する。この外れ表示処理ルーチンＢ４では、予め設定された補助外れ図柄乱数（２桁）の中から１つの数字をランダムに読み込むと共に、補助ルーレット６に対して上記読み込み補助外れ図柄乱数の各桁を順次表示するものであり、上記補助ルーレット６に対する表示完了後に前記ステップＢ１以降の制御を再実行する。
【００３６】
一方、ミニ当たり状態が発生した場合（ステップＢ３で「ＹＥＳ」）には、ミニ当たり表示処理ルーチンＢ５を実行する。このミニ当たり表示処理ルーチンＢ５では、予め設定されたミニ当たり乱数（１桁）の中から１つの数字をランダムに読み込むと共に、補助ルーレット６の各桁に対し、上記読み込みミニ当たり乱数を表示するものであり、これにより、補助ルーレット６においては、その動作停止時において、各桁の数字が「０」〜「９］の何れかで揃ったミニ当たり状態を呈するようになる。
【００３７】
上記ミニ当たり表示処理ルーチンＢ５の実行後には、ミニ当たり処理ルーチンＢ６を実行した後にステップＢ１へ戻る。このミニ当たり処理ルーチンＢ６では、出力回路１９を通じて、図示しないミニ当たり報知ランプを点滅させると共に、図示しない電磁ソレノイドを所定のモードで駆動することにより電動チューリップ８ａを所定時間だけ開放動作させ、さらに、音声出力回路２０を通じて図示しないスピーカからミニ当たり用の効果音を発生させる。従って、ミニ当たり状態が発生したときには、上記のような電動チューリップ８ａの開放動作に応じて、電動シャッタ７ａが非動作状態状態にある期間（特賞状態にない期間）における通常入賞孔８への入賞確率に高くなって、出玉率が高くなるものである。
【００３８】
要するに、上記した本実施例の構成によれば、遊技客側で、操作部１２の操作に応じて補助ルーレット６のミニ当たり確率（電動チューリップ８ａの動作確率）を４段階に設定できるものであり、このような設定が行われた場合には、特賞状態にない期間（電動シャッタ７ａが非動作状態にある期間）において、補助ルーレット６で実際にミニ当たりが発生する確率が、上記設定ミニ当たり確率と一致した状態となるように制御されるようになる。このとき、電動チューリップ８ａは、動作状態で入賞確率が通常状態時より比較的高くなる構成とされたものであるから、結果的に、操作部１２を通じて設定するミニ当たり確率を上下させることにより、特賞状態にない期間における出玉率（所謂ベース）を遊技客側において調節できるようになって、遊技に対する興趣向上を図り得るようになる。
【００３９】
この場合、操作部１２を通じて設定される補助ルーレット６のミニ当たり確率が高められた状態時、つまりベースが高められた状態時には、特賞用ルーレット５での大当たり確率（電動シャッタ７ａの動作確率）が低減され、この逆に、ベースが下げられた状態時には、大当たり確率が上昇される構成となっているから、パチンコホール側の収益バランスを損なうことなく、遊技に対する興趣向上を図り得るものである。
【００４０】
尚、上記第１実施例において、操作部１２を通じて設定される補助ルーレット６のミニ当たり確率が高められた状態時に、特賞期間（電動シャッタ７ａの動作期間）中に賞球として放出されるパチンコ玉数を低減させる構成、具体的には、特賞期間を短縮する制御、或いはパチンコ玉の入賞に伴い放出する単位賞球数を減少させる制御を行う構成としても良い。この構成によれば、遊技客によって、補助ルーレット６のミニ当たり確率が調節されるのに応じて、特賞期間中に賞球として放出されるパチンコ玉数が調節されると共に、特賞用ルーレット５での大当り確率が調節されることになるから、遊技に対する興趣向上をパチンコホール側の収益バランスを損なうことなく図り得るようになる。
【００４１】
尚、上記実施例では、補助スタート入賞孔９にパチンコ玉が入賞したときに、電動チューリップ８ａを所定の当たり確率で動作させるための補助ルーレット６を動作開始させる構成としたが、盤面５に発射されたパチンコ玉が、当該盤面４に設けられた特定領域、例えば所謂スルーチャッカを通過したときに、上記補助ルーレット６を動作開始させる構成としても良いものである。
【００４２】
図６〜図９には本発明の第２実施例が示されており、以下これについて前記第１実施例と異なる部分のみ説明する。
図８には、本実施例によるパチンコ遊技機１′の概略的な正面外観が示されている。この図８において、パチンコ遊技機１′は、第１実施例におけるパチンコ遊技機１から、補助ルーレット６を除去すると共に、２個の補助スタート孔９に代えて合計３個の通常入賞孔２２を設けた構成となっている。尚、本実施例において、電動チューリップ８ａは、第１実施例と同様に図６に示すＣＰＵ１３により動作制御される構成のものであるが、非動作状態にあるときにパチンコ玉が直接的に入賞したときにも動作される構成となっている。
【００４３】
また、本実施例による設定部１２′にあっては、図９に示すように、押釦スイッチ１２ａ〜１２ｄのオン状態によって、非特賞期間（電動シャッタ７ａが非動作状態にある期間）における出玉率（所謂ベース）を設定する構成となっており、その設定可能な出玉率は以下に示す表３のようになっている。
【００４４】
【表３】
0003970952.tif 000004
尚、表３には、補助ルーレット６に設定されたミニ当たり確率に対応して設定変更される特賞用ルーレット５での大当たり確率も示した。
【００４５】
上記パチンコ遊技機１′の電気的構成を機能ブロックの組み合わせによって示す図６において、データ入力回路２３は、図示しない発射玉計数器からのアウト玉数を示すデータ及び図示しない賞球数計数器からのセーフ玉数を示すデータをそれぞれ累計してＣＰＵ１３に与える構成となっている。
【００４６】
図７には、ＣＰＵ１３による制御内容のうち、補助ルーレット６及び電動チューリップ８ａの制御に関係した部分のみが示されており、以下これについて説明する。
即ち、図７に示す制御は、パチンコ遊技機１′が非特賞状態にある期間のみ実行されるものであり、当該非特賞状態にある期間には、ＣＰＵ１３は、データ入力回路２３を通じて入力されるアウト玉数データが一定値である例えば「１００」に達したか否かを判断する（ステップＣ１）。アウト玉数データが「１００」に達していない状態では、そのまま待機するが、「１００」に達したときには、当該アウト玉数データ並びにデータ入力回路２３を通じて入力されるセーフ玉数データに基づいて、特賞状態にない期間における出玉率（ベース）を算出するベース演算ルーチンＣ２を実行する。
【００４７】
上記ベース演算ルーチンＣ２の実行後には、入賞数決定ルーチンＣ３を実行する。この入賞数決定ルーチンＣ３では、非特賞状態にある期間（電動シャッタ７ａが動作していない期間）における出玉率を、操作部１２により設定された出玉率と一致させるのに必要な電動チューリップ８ａへの入賞パチンコ玉数を算出し、その算出結果を目標入賞数としてセットする。
【００４８】
この後には、図示しない電磁ソレノイドを駆動することにより電動チューリップ８ａを開放動作させ（ステップＣ４）、この開放状態で電動チューリップ８ａに対する入賞パチンコ玉数が前述のようにセットされた目標入賞数に達するまで待機する（ステップＣ５）。
【００４９】
電動チューリップ８ａに対し前記目標入賞数により示される数のパチンコ玉が入賞した場合には、図示しない電磁ソレノイドを駆動することにより電動チューリップ８ａを閉鎖動作させ（ステップＣ６）、この後にデータ入力回路２３の累計データを初期化するステップＣ７を実行してステップＣ１へ戻る。
【００５０】
要するに上記した本実施例の構成によれば、遊技客側で、操作部１２の操作に応じて特賞状態にない期間における出玉率（所謂ベース）を４段階に設定できるものであり、このような設定が行われた場合には、演算により得られる実際のベースと、上記のように設定されたベースとが一致するように電動チューリップ８ａの動作状態が制御されるようになる。従って、特賞状態にない期間における出玉率であるベースを遊技客側において調節できることになり、以て遊技に対する興趣向上を図り得るようになる。
【００５１】
また、この場合、操作部１２を通じて設定されるベースが高められた状態時には、特賞用ルーレット５での大当たり確率（電動シャッタ７ａの動作確率）が低減され、この逆に、ベースが下げられた状態時には、大当たり確率が上昇される構成となっているから、パチンコホール側の収益バランスを損なうことなく、遊技に対する興趣向上を図り得るものである。
【００５２】
尚、上記第２実施例において、操作部１２を通じて設定されるベースが高められた状態時に、特賞期間（電動シャッタ７ａの動作期間）中に賞球として放出されるパチンコ玉数を低減させる構成、具体的には、特賞期間を短縮する制御、或いはパチンコ玉の入賞に伴い放出する単位賞球数を減少させる制御を行う構成としても良い。この構成によれば、遊技客によってベースが調節されるのに応じて、特賞期間中に賞球として放出されるパチンコ玉数が調節されると共に、特賞用ルーレット５での大当り確率が調節されることになるから、遊技に対する興趣向上をパチンコホール側の収益バランスを損なうことなく図り得るようになる。
【００５３】
尚、本発明は上記した実施例に限定されるものではなく、例えば、操作手段により補助役物の当たり確率が変更されたとき、或いは操作手段により特賞役物が非動作状態にある期間における出玉率が変更されたときに、特賞役物の動作確率を調節する制御と、特賞役物の動作期間中に賞球として放出されるパチンコ玉数を低減調節する制御とを同時に行う構成としても良い。
【００５４】
【発明の効果】
本発明によれば以上の説明によって明らかなように、少なくとも、特賞役物が非動作状態にある期間における出玉率を遊技客側の意思で調節可能な構成とすることによって、遊技に対する興趣向上を図り得るようになると共に、斯様な興趣向上効果を、パチンコホール側の収益バランスを損なうことなく実現可能になるという有益な効果を奏するものである。
【図面の簡単な説明】
【図１】本発明の第１実施例の電気的構成を示す機能ブロック図
【図２】制御内容を示すフローチャートその１
【図３】制御内容を示すフローチャートその２
【図４】全体の正面図
【図５】操作部の正面図
【図６】本発明の第２実施例の電気的構成を示す機能ブロック図
【図７】制御内容を示すフローチャート
【図８】全体の正面図
【図９】操作部の正面図
【符号の説明】
図面中、１、１′はパチンコ遊技機、５は特賞用ルーレット、６は補助ルーレット、７は特賞用入賞孔、７ａは特賞用電動シャッタ（特賞役物）、８は通常入賞孔、８ａは電動チューリップ（補助役物）、９は補助スタート入賞孔（特定入賞孔）、１２、１２′は設定部（設定手段）、１３はＣＰＵ（制御手段）、２３はデータ入力回路を示す。
【図１】
0003970952.tif 000005
【図２】
0003970952.tif 000006
【図３】
0003970952.tif 000007
【図４】
0003970952.tif 000008
【図５】
0003970952.tif 000009
【図６】
0003970952.tif 000010
【図７】
0003970952.tif 000011
【図８】
0003970952.tif 000012
【図９】
0003970952.tif 000013